(57)【要約】【課題】空気注入装置の取り扱いを容易にするとともに、据付現場での据付作業を簡略化して据付作業の手間を大幅に削減することができる空気注入装置を提供する。【解決手段】空気注入装置５は、空気圧縮機６と、圧力タンク７と、空気圧縮機６によって生成された高圧空気を圧力タンク７に導く高圧空気供給管８と、圧力タンク７の吐出口７Ａに接続した空気注入管９と、この空気注入管に介設した減圧弁１０、流量調整弁１１、ストップ弁Ｖ１〜Ｖ１５などの弁類と、空気流量計１２などの計器類とを備え、これらは、工場において収容筐１３のベース板１４上に設置してユニット化されて組立てられている。【選択図】        図１
2004239240.tif 000002
【特許請求の範囲】
【請求項１】
汚水圧送管路内に空気を注入して、汚水圧送管路内を好気化する空気注入装置であって、空気圧縮機と、圧力タンクと、空気圧縮機によって生成された高圧空気を圧力タンクに導く高圧空気供給管と、圧力タンクの吐出口に接続した空気注入管と、この空気注入管に介設した弁類と計器類とを備え、前記空気圧縮機、高圧空気供給管、圧力タンク、高圧空気供給管、空気注入管および弁類と計器類がベース板上に設置してユニット化されていることを特徴とする空気注入装置。
【請求項２】
前記空気圧縮機と圧力タンクが一体化されている請求項１に記載の空気注入装置。
【発明の詳細な説明】
【０００１】
【発明の属する技術分野】
本発明は、汚水圧送管路内に空気を注入して、汚水圧送管路内を好気化する空気注入装置に関する。
【０００２】
【従来の技術】
図２に示す送水ポンプ１により汚水（下水）Ｗを汚水圧送管路２によって長距離圧送する際、汚水圧送管路２内が嫌気的な状態になると、硫酸塩還元菌が硫化物を生成して悪臭を発生させるとともに、生成された硫化物を元に、マンホール３の周辺で硫黄酸化細菌が硫酸を生成して、自然流下管路４を含むコンクリート施設を腐食させる問題が生じる
【０００３】
そこで、図３に示す空気注入装置５により、汚水圧送管路２内に空気を注入することで、汚水圧送管路２内を好気化して、硫化物の生成を抑制する対策が講じられている（たとえば、非特許文献１参照。）。
【０００４】
空気注入装置５は、空気圧縮機（エアーコンプレッサー）６，６と、圧力タンク７と、空気圧縮機６によって生成された高圧空気を圧力タンク７に導く高圧空気供給管８と、圧力タンク７の吐出口７Ａと汚水圧送管路２の空気注入口２Ａを接続した空気注入管９と、この空気注入管９に介設した減圧弁１０と流量調整弁１１および逆止弁１１Ａなどの弁類と、空気流量計１２などの計器とを備えている。
【０００５】
空気注入装置５における空気圧縮機６によって生成された高圧空気は、一旦、圧力タンク７に貯留され、減圧弁１０によって所定の注入圧力に減圧されたのち、流量調整弁１１によって調整された流量で汚水圧送管路２内に注入される。したがって、汚水圧送管路２内は好気化され、硫酸塩還元菌の働きを抑制して、硫化物の生成を抑えて悪臭を防ぐとともに、自然流下管路４を含むコンクリート施設（図２参照）などの腐食を防止することができる。
【０００６】
【非特許文献１】
月刊下水道Ｖｏｌ．２３  Ｎｏ．１  平成１１年１２月１５日発行、          Ｐ．４３（図−１）
【０００７】
【発明が解決しようとする課題】
ところが、従来の空気注入装置５は、空気圧縮機６、圧力タンク７、高圧空気供給管８、空気注入管９、減圧弁１０と流量調整弁１１、逆止弁１１Ａおよび空気流量計１２などが個別に梱包された状態で据付現場に搬送され、据付現場において空気圧縮機６や圧力タンク７を設置する作業、空気圧縮機６と圧力タンク７とを高圧空気供給管８で接続する配管作業、空気注入管９に減圧弁１０、流量調整弁１１、空気流量計１２などを介設する組付け作業および減圧弁１０、流量調整弁１１、空気流量計１２などが組付けられた空気注入管９で圧力タンク７の吐出口７Ａと汚水圧送管路２の空気注入口２Ａを接続する配管作業などの煩雑な作業が必要であるため、その取り扱いが困難であり空気注入装置５の据付現場での据付作業に手間がかかる。
【０００８】
本発明は、このような事情を考慮してなされたもので、空気注入装置の取り扱いを容易にするとともに、据付現場での据付作業を簡略化して据付作業の手間を大幅に削減することができる空気注入装置を提供することを目的としている。
【０００９】
【課題を解決するための手段】
前記目的を達成するために、請求項１に記載の発明に係る空気注入装置は、汚水圧送管路内に空気を注入して、汚水圧送管路内を好気化する空気注入装置であって、空気圧縮機と、圧力タンクと、空気圧縮機によって生成された高圧空気を圧力タンクに導く高圧空気供給管と、圧力タンクの吐出口に接続した空気注入管と、この空気注入管に介設した弁類と計器類とを備え、前記空気圧縮機、高圧空気供給管、圧力タンク、高圧空気供給管、空気注入管および弁類と計器類がベース板上に設置してユニット化されていることを特徴としている。
【００１０】
また、前記空気圧縮機と圧力タンクが一体化されていてもよい。
【００１１】
請求項１に記載の発明によれば、空気圧縮機、高圧空気供給管、圧力タンク、空気注入管および弁類と計器類などがベース板上に設置してユニット化されているので、空気注入装置がコンパクトにまとめられて、その取り扱いが容易になるとともに、空気注入装置の据付現場においては、空気注入装置を所定の位置に設置して空気注入管の出口を汚水圧送管路の空気注入口に接続する簡単な配管作業を施すことによって、汚水圧送管路への空気注入可能な設置状態を容易に得ることができる。
【００１２】
請求項２に記載の発明によれば、空気圧縮機と圧力タンクが一体化されていてることにより、空気圧縮機と圧力タンク間の長寸の配管を省略することができるので、空気注入装置の構造を簡略化して、より一層コンパクトにまとめることができる。
【００１３】
【発明の実施の形態】
以下、本発明の一実施の形態を図面に基づいて説明する。図１は本発明の一実施の形態の天板を除去して内部を示す平面図である。なお、図２，図３の従来例と同一もしくは相当部分には、同一符号を付して説明する。
【００１４】
図１において、空気注入装置５は、空気圧縮機６と、圧力タンク７と、空気圧縮機６によって生成された高圧空気を圧力タンク７に導く高圧空気供給管８と、圧力タンク７の吐出口７Ａに接続した空気注入管９と、この空気注入管に介設した減圧弁１０と流量調整弁１１などの弁類と、空気流量計１２とを備え、これらは、工場において収容筐１３のベース板１４上に設置してユニット化されて組立てられている。
【００１５】
空気圧縮機６によって生成された高圧空気を圧力タンク７に導く高圧空気供給管８には、可撓管１５が介設されて可撓性が付与されているとともに、可撓管１５弁と圧力タンク７の間に上流側の弁Ｖ１と下流側の弁Ｖ２が直列に介設されている。また、圧力タンク７の吐出口７Ａに接続した空気注入管９には、上流側から弁Ｖ３，弁Ｖ４，フィルタ１６，空気流量計１２，弁Ｖ５，流量調整弁１１，減圧弁１０，弁Ｖ６，電磁弁Ｖ７，弁Ｖ８，弁Ｖ９が直列に介設されており、空気注入管９の出口は管継手１７に接続して開放してある。
【００１６】
一方、高圧空気供給管８における弁Ｖ１とＶ２の中間位置Ｐ１と、空気注入管９における弁Ｖ３とＶ４の中間位置Ｐ２が常閉ストップ弁Ｖ１０を介設した管路１８によって連通しており、弁Ｖ４，フィルタ１６，空気流量計１２，弁Ｖ５を迂回して空気注入管９に設けたバイパス管路１９に常閉バイパス弁Ｖ１１が介設されているとともに、弁Ｖ６，電磁弁Ｖ７，弁Ｖ８を迂回して空気注入管９に設けたバイパス管路２０に常閉バイパス弁Ｖ１２が介設されている。そして、空気圧縮機６にドレン通路２１，２２を設け、圧力タンク７にドレン通路２３を設けるとともに、フィルタ１６のドレン通路２４をドレン通路２２に合流させている。また、ドレン通路２１には常開ストップ弁Ｖ１３が、ドレン通路２２には常開ストップ弁Ｖ１４が、ドレン通路２３には常開ストップ弁Ｖ１５が介設され、ドレン通路２１の出口は管継手２５に接続して開放され、ドレン通路２２の出口は管継手２６に接続して開放されているとともに、ドレン通路２３の出口は管継手２７に接続して開放されている。なお、図中、２８は記録計、２９は電源端子ボックスを示す。
【００１７】
このように、空気圧縮機６、高圧空気供給管８、圧力タンク７、空気注入管９、バイパス管路１９，２０、ドレン通路２２，２３，２４、弁Ｖ１〜Ｖ１５と減圧弁１０，流量調整弁１１および空気流量計１２などの計器類が収容筐１３のベース板１４上に設置してユニット化されて組立てられているので、空気注入装置５がコンパクトにまとめられて、その取り扱いが容易になるとともに、空気注入装置５の据付現場においては、空気注入装置５を所定の位置に設置して空気注入管９の出口が接続されている管継手１７を連通管路３０によって、汚水圧送管路２の空気注入口２Ａに接続する簡単な配管作業を施すことによって、汚水圧送管路２への空気注入可能な設置状態を容易に得ることができる。
【００１８】
すなわち、空気注入装置５の据付現場において空気圧縮機６や圧力タンク７を設置する作業、空気圧縮機６と圧力タンク７とを高圧空気供給管８で接続する配管作業、空気注入管９に減圧弁１０、流量調整弁１１、空気流量計１２などを介設する組付け作業および減圧弁１０、流量調整弁１１、空気流量計１２などが組付けられた空気注入管９で圧力タンク７の吐出口７Ａと汚水圧送管路２の空気注入口２Ａを接続する配管作業などの煩雑な作業が全て不要になるので、空気注入装置５の取り扱いが容易になるとともに、据付現場での据付作業を簡略化して据付作業の手間を大幅に削減することができる。しかも、空気注入装置５は工場においてベース板１４上に設置してユニット化されて組立てられるので、バラツキのない高精度で高品質の空気注入装置５を提供することができる。
【００１９】
なお、図１において個別に設けた空気圧縮機６と圧力タンク７を一体化することによって、空気圧縮機６と圧力タンク７間に配管される長寸の高圧空気供給管８を省略することができるので、空気注入装置５の構造を簡略化して、より一層コンパクトにまとめることができる。
【００２０】
【発明の効果】
以上説明したように、本発明に係る空気注入装置は構成されているので、以下のような格別の効果を奏する。
【００２１】
請求項１に記載の発明によれば、空気圧縮機、高圧空気供給管、圧力タンク、空気注入管および弁類と計器類などがベース板上に設置してユニット化されているので、空気注入装置がコンパクトにまとめられて、その取り扱いが容易になるとともに、空気注入装置の据付現場においては、空気注入装置を所定の位置に設置して空気注入管の出口を汚水圧送管路の空気注入口に接続する簡単な配管作業を施すことによって、汚水圧送管路への空気注入可能な設置状態を容易に得ることができるので、据付現場での据付作業を簡略化して据付作業の手間を大幅に削減することができる。しかも、空気注入装置は工場においてベース板上に設置してユニット化されて組立てられるので、バラツキのない高精度で高品質の空気注入装置を提供することができる。
【００２２】
請求項２に記載の発明によれば、空気圧縮機と圧力タンクが一体化されていてることにより、空気圧縮機と圧力タンク間の長寸の配管を省略することができるので、空気注入装置の構造を簡略化して、より一層コンパクトにまとめることができる。
【図面の簡単な説明】
【図１】本発明の一実施の形態の天板を除去して内部を示す平面図である。
【図２】第１従来例の構成図である。
【図３】第２従来例の構成図である。
【符号の説明】
２  汚水圧送管路
５  空気注入装置
６  空気圧縮機
７  圧力タンク
７Ａ  圧力タンクの吐出口
８  高圧空気供給管
９  空気注入管
１０  減圧弁（弁）
１１  流量調整弁（弁）
１２  流量計（計器類）
１４  ベース板
Ｖ３〜Ｖ９  ストップ弁（弁）
【図１】
2004239240.tif 000003
【図２】
2004239240.tif 000004
【図３】
2004239240.tif 000005